(57)【要約】【課題】迅速な溺水者の発見・救護を目的とし、実際の溺水状態を感知するための溺水感知器を提供する。【解決手段】水泳や入浴での入水者が溺水した時に、取付けたブザー（１１ｂ）付きの浮き（１１）を浮上させて周りに知らせる為、または、装着しておいた膨張式浮揚具（１２）を連動させる目的で、ゴムひも（１）の両端を連結し輪の状態にして、拡げて張力を有した状態で口から後頭部にかけて被っておくものであり、連結部（２）が口内に位置するようにし、この連結部に小さな浮き（３）を介在させ、溺水時の口内に吸い込まれた水の水流に、この浮きが引き込まれることにより、輪の連結が外れるようにし、ゴムひも（１）が一気に解き放たれることで初述の目的を果たす。【選択図】図３
2020045080.tif 000002
【特許請求の範囲】
【請求項１】
水泳や入浴での入水者が溺水した時に、取付けたブザー（１１ｂ）付きの浮き（１１）を浮上させて周りに知らせる為、または、装着しておいた膨張式浮揚具（１２）を連動させる目的で、ゴムひも（１）の両端を連結し輪の状態にして、拡げて張力を有した状態で口から後頭部にかけて被っておくものであり、連結部（２）が口内に位置するようにし、この連結部に小さな浮き（３）を介在させ、溺水時の口内に吸い込まれた水の水流に、この浮きが引き込まれることにより、輪の連結が外れるようにし、ゴムひも（１）が一気に解き放たれることで初述の目的を果たすことを特徴とする溺水感知器。
【発明の詳細な説明】
【技術分野】
【０００１】    本発明は、水泳や入浴で溺水した人をいち早く発見、もしくは救護する技術に関するものである。
【背景技術】
【０００２】    水感知式や手動レバー式の膨張式救命衣は、水泳や入浴時に使用されることは少ないと思われるが、救命用として広く使用されている。水泳や入浴時の溺水発見・救護の技術として多いのは、水圧センサーを用いたものである。水圧センサーを頭部付近に装着し、予め設定した沈水時間により潜水か溺水かを判別し、電波信号を発したり、身に着けた膨張式浮揚具を連動させるもの等がある。
【先行技術文献】
【特許文献】
【０００３】
【特許文献１】特開２００１−１８４５７４
【特許文献２】特開２０００−１５５８８１
【特許文献３】特開平０２−２４１８９０
【特許文献４】ＣＮ−Ａ−１０４８８１９５８
【特許文献５】ＣＮ−Ａ−１０４３４０３４４
【特許文献６】ＵＳ−Ａ１−００６１２９０３６
【発明の概要】
【発明が解決しようとする課題】
【０００４】    水感知式の膨張式救命衣は、着水に反応して作動してしまう。手動レバー式のみの膨張式救命衣は、入水状態で任意に作動させることができるが、溺水時に意識がある状態で的確な操作を必要とする。水圧センサーを用いたものは、実際の溺水状態を感知するものではないので、設定した沈水時間が短いと潜水か溺水かの判別を誤りやすく、また、設定する沈水時間を長くすると溺水時の発見・救護を遅らせることになる。【０００５】    本発明の溺水感知器は、実際の溺水状態を感知しようとするものであり、より迅速な溺水者の発見・救護を目的としたものである。
【課題を解決するための手段】
【０００６】    溺水状態になった者は、意識の有無に関わらず、本能的に口を開け呼吸をしようとする。結果、口内には多量の水が流入するが、本発明の溺水感知器はこの水流を感知し、周りに知らせ、救護につながるよう構成されている。【０００７】    ゴムひも（１）の両端を連結し輪の状態にして、拡げて張力を有した状態で口から後頭部にかけて被るようにし、連結部（２）が口内に位置するようにし、この連結部に小さな浮き（３）を介在させておく。浮き（３）を誤飲しないよう、ゴムひも（１）か連結部（２）のどちらかに、ひも（４）で常時つないでおく。【０００８】    溺水時に口内に流入した多量の水の水流に、この浮き（３）が引き込まれることにより、輪の連結が外れるようにし、ゴムひも（１）を一気に解き放たせるようにする。浮き（３）の形状や係止の方法が限定されるものではないが、口内奥向きに流れ込む水流を受け、同方向に引っ張り応力を生じる形状が適当であり、ゴムひも（１）の連結手段に応じて、この連結を断つように係止させておく。【０００９】    ゴムひも（１）に浮き（１１）を取付けておけば、水面に浮上して周りに知らせることができる。目立つ色が好ましく、使用者の特定情報を記しておけば有効である。ブザー音・電波信号（１１ｂ）を連動させても良い。ゴムひも（１）と身に着けた膨張式浮揚具（１２）を連動させることも有効である。
【発明の効果】
【００１０】    実際の溺水状態を数秒で感知すると同時に、取付けた浮き（１１）の浮揚や膨張式浮揚具（１２）の連動が始まるので、タイムロスが少なく、迅速な溺水者の発見・救護に期待できる。簡素な物で構成されており、安価である。
【図面の簡単な説明】
【００１１】
【図１】  本発明の使用例を示す側面図である。
【図２】  本発明の使用例を示す側面図である。
【図３】  本発明の使用例を示す正面図である。
【図４】  本発明の実施例を示す平面図である。
【図５】  本発明の実施例を示す側面図である。
【図６】  本発明の実施例を示す平面図である。
【図７】  本発明の実施例を示す側面図である。
【図８】  本発明の実施例を示す平面図である。
【図９】  本発明の実施例を示す側面図である。
【図１０】  図９におけるＡ−Ａ線断面図である。
【発明を実施するための形態】
【００１２】    図１は本発明の使用例を示す。輪になったゴムひも（１）が口内から後頭部にかけて巻かれており、浮き（１１）が後頭部に位置するように取り付けられている。ゴムひも（１）は、浮き（１１）に防水内蔵されたばね接点（１１ａ）を引き離した状態でつながれており、頭部に巻かれた状態であればその張力を維持できるが、溺水状態になってそれが解き放たれると、たちまちその張力を失い、浮き（１１）が水面に浮上するとともに、ばね接点（１１ａ）が復元され、これに連結された器機により、ブザー音・電波信号（１１ｂ）が発せられる。
【００１３】    図２は本発明の使用例を示す。輪になったゴムひも（１）が口内から後頭部にかけて巻かれており、首元には膨張式浮揚具（１２）が巻かれている。ゴムひも（１）は、膨張式浮揚具（１２）内部の弁（１２ｄ）を引き上げた状態になるよう、ばね（１２ｃ）およびワイヤー（１２ｂ）でつながれており、これらを包んだゴムチューブ（１２ａ）の先端部にてその接続部が係止されている。頭部に巻かれた状態であればその張力により係止を維持できるが、溺水状態になって輪が解き放たれると、たちまちその張力を失い、ゴムチューブ（１２ａ）内に引き込まれる。それに従って弁（１２ｄ）は開放され、膨張式浮揚具（１２）内に水が流入し、内部の水感知器を作動させることにより、膨張式浮揚具（１２）を連動させる。
【００１４】    図３は本発明の使用例を示す。口内において、ゴムひも（１）の両端は各々連結部（２）につながっており、その口内奥側には浮き（３）が取り付けられ、両者はひも（４）でつながれている。連結手段や浮き（３）の係止方法が限定されるものではないが、以下にその実施例を示す。
【００１５】    図４・５は本発明実施の一例を示している。ゴムひも（１）の両端を輪にしておいて各々を連結部（２）の取り付け穴に通してある。連結部（２）はヒンジのような形式で２枚組と１枚物のプレートであり、連結部中央に合わせて各々に連結穴をあけており、これに、連結軸として浮き（３）の突起棒をさしこんであり、浮き（３）が水流に引き込まれて突起棒が抜けると、連結が外れてゴムひも（１）が解き放たれる。連結部（２）の剛性が非常に高い場合を除き、３枚のプレート全てに突起棒が通っている際は連結が安定しているが、最初の１枚が外れた時点で、ゴムひも（１）の張力による回転モーメントが働き、浮き（３）が弾き飛ばされるように連結が外れる。浮き（３）は空洞の球体であり、ひも（４）により連結部（２）へつながれている。
【００１６】    図６・７は本発明実施の一例を示している。ゴムひも（１）の両端を輪にしておいて各々を連結部（２）の取り付け穴に通してある。連結部（２）は１枚物のプレートであり、中央にも取り付け穴をあけており、これに、浮き（３）の突起棒をさしこんであり、その先端に中央取り付け穴より大きめの留め部を設け、抜けないようにしてある。プレートの中央取り付け穴部分は切り欠きのように薄くしてあり、浮き（３）が水流に引き込まれた際の引っ張り応力でプレートが割れると、連結が無くなりゴムひも（１）が解き放たれる。浮き（３）は空洞の球体であり、ひも（４）により連結部（２）へつながれている。
【００１７】    図８・９・１０は本発明実施の一例を示している。ゴムひも（１）の両端を輪にしておいて各々を糸で結んだ連結部（２）は、浮き（３）の突起部にあけられた通し穴に通されており、この通し穴内には刃が取り付けられている。浮き（３）が水流に引き込まれた際の引っ張り応力で糸が切られると、連結が無くなりゴムひも（１）が解き放たれる。浮き（３）は空洞の球体であり、ひも（４）によりゴムひも（１）へつながれている。
【符号の説明】
【００１８】    １      ゴムひも
２      連結部
３      浮き
４      ひも
【図１】
2020045080.tif 000003
【図２】
2020045080.tif 000004
【図３】
2020045080.tif 000005
【図４】
2020045080.tif 000006
【図５】
2020045080.tif 000007
【図６】
2020045080.tif 000008
【図７】
2020045080.tif 000009
【図８】
2020045080.tif 000010
【図９】
2020045080.tif 000011
【図１０】
2020045080.tif 000012